(57)【特許請求の範囲】
【請求項１】
貯蔵ユニットであって：
フォトポリマー樹脂；
フォトポリマー樹脂に関して化学線的に透明である化学線的に透明な材料の少なくとも１つの領域を含む底面；
フォトポリマー樹脂に関して化学線的に不透明である化学線的に不透明な材料の少なくとも１つの領域を含む、前記底面から上方へ延びる少なくとも１つの壁；および
化学線的に不透明な材料を含み、少なくとも１つの壁に着脱可能に接続可能である蓋、を含み、
蓋が、第２の貯蔵ユニットの底面に結合するように構成される突起部を含む、前記貯蔵ユニット。
【請求項２】
底面、少なくとも１つの壁および蓋が、少なくとも１つの化学線的に透明な材料の領域を除いては化学線的に不透明である囲いを形成する、請求項１に記載の貯蔵ユニット。
【請求項３】
化学線的に不透明な材料が、材料を透過する放射線の少なくとも１つの波長の振幅を実質的に減衰する、請求項１に記載の貯蔵ユニット。
【請求項４】
少なくとも１つの波長が少なくとも１つのフォトポリマーを硬化することに関係している、請求項３に記載の貯蔵ユニット。
【請求項５】
少なくとも１つの波長がフォトポリマーのクラスを硬化することに関係している、請求項３に記載の貯蔵ユニット。
【請求項６】
底面から上方へ延びる４つの壁を含み、各壁は化学線的に不透明な材料を含む、請求項１に記載の貯蔵ユニット。
【請求項７】
少なくとも１つの壁が注ぎ口を含む、請求項１に記載の貯蔵ユニット。
【請求項８】
底面が、少なくとも１つの化学線的に透明な材料の領域を除いては、化学線的に不透明な材料から形成される、請求項１に記載の貯蔵ユニット。
【請求項９】
貯蔵ユニットが、ステレオリソグラフィー付加製作装置に設置可能であるように構成される、請求項１に記載の貯蔵ユニット。
【請求項１０】
化学線的に透明な材料の少なくとも１つの領域が、底面の最下レベルから垂直にオフセットされる、請求項１に記載の貯蔵ユニット。
【請求項１１】
蓋が、蓋と少なくとも１つの壁との間の係止を創作するために作動されるように適合される複数のタブを含む、請求項１に記載の貯蔵ユニット。
【請求項１２】
底面が１以上の第２の壁を含む第３の貯蔵ユニットと結合するように構成され、底面は１以上の第２の壁と結合するように構成される、請求項１に記載の貯蔵ユニット。
【請求項１３】
付加的な製作方法であって：
付加的な製作を介してフォトポリマー樹脂から少なくとも１つの部分を製造すること、フォトポリマー樹脂は付加的な製作装置の構成要素である容器に配置されている；
付加的な製作装置から容器を取り除くこと；および
容器に蓋を取り付けることを含み、
ここで蓋および容器は化学線的に不透明な材料を含み、容器の底面上に化学線的に透明な材料の少なくとも１つの領域を含み、
蓋が、第２の容器の底面に結合するように構成される突起部を含む、
前記付加的な製作方法。
【請求項１４】
付加的な製作装置が、少なくとも１つの化学線源を含み、ここで少なくとも１つの化学線的に透明な材料の領域が、容器が付加的な製作装置の構成要素として設置されるとき化学線が少なくとも１つの領域を通してフォトポリマー樹脂に送られることができるように配置されるように構成される、請求項１３に記載の方法。
【発明の詳細な説明】
【技術分野】
【０００１】
関連出願の相互参照
本願は、2014年6月10日に出願された米国仮出願番号62/010,228、表題「Improved Resin Tray for Stereolithography」に対する、35 U.S.C.§119 (e)下の優先権を主張し、本明細書中でその全体において参照により援用される。
【０００２】
発明の分野
本発明は、一般に付加的な製作、例えば３次元印刷において用いられるフォトポリマーを貯蔵するためのシステムおよび方法に関する。
【背景技術】
【０００３】
背景
付加的な製作、例えば３次元（３Ｄ）印刷は、典型的には資材の部分をもたらして特定の位置で固めることによって、対象物を製作するための技術を提供する。付加的な製作技術はステレオリソグラフィー、選択的または融合堆積モデル、直接複合製造、薄膜積層法、選択的相領域堆積、多相ジェット固化、衝撃粒子造形法、粒子堆積、レーザー焼結またはそれらの組み合わせを含んでもよい。多くの付加的な製作技術は、典型的には所望の対象物の断面である、連続した層を形成することにより部分を作成する。典型的に各層は、先に形成された層あるいはその上に対象物が作られる基板に接着するように形成される。
【０００４】
ステレオリソグラフィーとして知られている付加的な製作への１つのアプローチにおいて、固体の対象物は、硬化性ポリマー樹脂の薄層を、典型的には最初に基板上に、次に積み重ねて連続的に形成することにより創作される。化学線への曝露は液体樹脂の薄層を硬化し、それは薄層の固化、および先に硬化された層またはビルドプラットフォームの下表面への接着をもたらす。
【発明の概要】
【０００５】
概要
付加的な製作において用いられるフォトポリマーを貯蔵するためのシステムおよび方法を提供する。
いくつかの側面において、貯蔵ユニットはフォトポリマー樹脂を含んで提供される。貯蔵ユニットは、フォトポリマー樹脂に関して化学線的に透明である、化学線的に透明な材料の少なくとも１つの領域を含む底面を有してもよい。貯蔵ユニットはまた底面から上に延び、フォトポリマー樹脂に関して化学線的に不透明である化学線的に不透明な材料の少なくとも１つの領域を含む少なくとも一つの壁を有してもよい。さらにまた貯蔵ユニットは化学線的に不透明な材料を含み、少なくとも１つの壁に対して着脱可能に接続可能である蓋を有してもよい。
【０００６】
いくつかの側面において、付加的な製作の方法が提供される。方法は１以上の付加的な製作技術を介してフォトポリマー樹脂から少なくとも１部分を製造することを含み、フォトポリマー樹脂は、付加的な製作装置の構成要素である容器内に含まれる。方法はさらに付加的な製作装置から容器を取り除くことおよび容器に蓋を取り付けることを含む。蓋および容器は化学線的に不透明な材料を含み、容器の底面上に化学線的に透明な材料の少なくとも１つの領域を含む。
【０００７】
前記のものは限定しない本発明の概要であり、それは添付した請求項により定義される。
【図面の簡単な説明】
【０００８】
図面の簡単な説明
添付する図面は、正確な縮尺図であることを意図しない。明確さの目的のために、あらゆる図面においてあらゆる構成要素を表示しなくてもよい。図面において：
【０００９】
【図１】図１は、いくつかの態様による、実例となるステレオリソグラフィーシステムを表す。
【００１０】
【図２】図２は、いくつかの態様による、部分製作中の実例となるステレオリソグラフィーシステムの断面図を表す。
【００１１】
【図３】図３は、いくつかの態様による、フォトポリマー樹脂を貯蔵する実例となる貯蔵ユニットの断面図を表す。
【００１２】
【図４】図４は、いくつかの態様による、フォトポリマー樹脂を各々貯蔵する積層貯蔵ユニットを表す。
【００１３】
【図５Ａ】図５Ａは、いくつかの態様による、フォトポリマー樹脂を貯蔵する実例となる容器を表す。
【図５Ｂ】図５Ｂは、いくつかの態様による、フォトポリマー樹脂を貯蔵する実例となる容器を表す。
【図５Ｃ】図５Ｃは、いくつかの態様による、フォトポリマー樹脂を貯蔵する実例となる容器を表す。
【００１４】
【図６Ａ】図６Ａは、いくつかの態様による、実例となる貯蔵ユニットの蓋を表す。
【図６Ｂ】図６Ｂは、いくつかの態様による、実例となる貯蔵ユニットの蓋を表す。
【図６Ｃ】図６Ｃは、いくつかの態様による、実例となる貯蔵ユニットの蓋を表す。
【００１５】
【図７】図７は、いくつかの態様による、付加的な製作において用いられるフォトポリマー樹脂を貯蔵する方法を表す。
【００１６】
詳細な説明
本発明は、付加的な製作、例えば３Ｄ印刷において用いられるフォトポリマーを貯蔵するためのシステムおよび方法に関する。特に、本発明はフォトポリマーが付加的な製作のために積極的に用いられない期間中、付加的な製作における使用のために適したフォトポリマーの貯蔵を提供する方法および装置を対象にする。いくつかの態様において、本明細書において記載されている方法および装置は、材料加工において容易にロードされ、アンロードされ、および用いられることができる形式における化学線に対して感受性の高い材料を貯蔵し移送するための技術を提供することができる。結果として、ユーザーエラーの減少および利便性の向上を伴うステレオリソグラフィー工程において高感度の材料がより信頼を持って用いられるであろう。
【００１７】
上で議論したように、ステレオリソグラフィーにおいて、固体の対象物は、樹脂の化学線への曝露を介して液体樹脂の層を連続的に硬化することにより創作されてもよい。しかしながら、液体樹脂を部分的または完全に固化させることができる化学線は、自然光においておよび／または他の環境放射線に存在し得る。付加的な製作の間、樹脂を望ましくない化学線源から遮蔽することができる一方、樹脂が付加的な製作のために用いられない間に樹脂の化学線への非意図的な曝露が生じ得る。例えば樹脂材料は、化学線に対して不透明な器において貯蔵されてもよく、しかし化学線への非意図的な曝露が樹脂材料の器へのおよび／または器からのローディングおよび／またはアンローディング中に生じ得る。かかる非意図的な曝露は、樹脂の早すぎる硬化および／または樹脂の性質の他の望ましくない変化をもたらし得る。さらに、ある器から別の器への樹脂の移動中にいくらかの樹脂は容器および／またはデバイスの容器に接着し得る。この樹脂を環境放射線により部分的にまたは完全に硬化することができ、器上の固体ポリマーのコーティングを導き、それは器の続いての使用を妨げ得る。
【００１８】
発明者は樹脂材料の貯蔵のためおよび付加的な製作中に樹脂材料を含有するための両方のために単一の貯蔵ユニットを用いる利益があることを認識し理解した。かかる構造により、製作のために樹脂を貯蔵ユニットから別の器に注ぐ必要がなくなるので、貯蔵ユニットから樹脂材料を移動することが不要になり得、意図しない曝露の減少、および樹脂のより容易な使用を導くことができる。 
【００１９】
単一の貯蔵ユニットが貯蔵のためおよび付加的な製作中の両方で用いられることを目的として、貯蔵中にユニットは化学線的に不透明であるが、付加的な製作中、化学線を（例えば、容器内の樹脂に）向けることができる少なくとも１つの化学線的に透明な領域を含むように設計され得ることが望ましい。発明者は、貯蔵ユニットを貯蔵中に（それは表面上の貯蔵ユニットを配置することおよび／または貯蔵ユニットを積み重ねることを含んでもよい）ユニットの化学線的に透明な領域が貯蔵のためのユニットの自然な配置により化学線から実質的に遮蔽されるようにユニットの化学線的に透明な領域を配置することによりかかる方法において構成できることを認識し理解した。
【００２０】
いくつかの態様において、貯蔵ユニットは、化学線がその表面を通して貯蔵ユニット内の樹脂に供給されるステレオリソグラフィック工程において用いられてもよいなど、貯蔵ユニットは化学線に対して透明である領域を含んでもよい。貯蔵ユニットの残りは化学線に対して不透明であってよく、貯蔵ユニットが付加的な製作装置内に装着されるとき取り除くことができる着脱可能な蓋を含んでもよい。したがって、貯蔵ユニットは取り付けられる蓋を用いて貯蔵され、およびまた付加的な製作装置の構成要素として直接的に蓋なしで用いられてもよい。かかるように、樹脂を貯蔵容器から取り除くことが不必要になってもよい。
【００２１】
いくつかの態様において、貯蔵ユニットは化学線的に透明な領域が樹脂の貯蔵中に（すなわち、付加的な製作が実行されないときに）、テーブルまたは他の表面により被覆されるように形作られる。かかるように、貯蔵ユニット内部の樹脂は貯蔵ユニットに対して外側の化学線源から実質的に遮蔽されてもよい。貯蔵ユニットが付加的な製作装置の構成要素として用いられるとき、遮蔽されている表面は存在せず、化学線的に透明な領域がユニット内に配置される樹脂に対して化学線を向けるように用いられてもよい。したがって、単一の貯蔵ユニットは、化学線的に不透明な材料と貯蔵中にユニットに隣接する表面の組み合わせを用いて貯蔵中の化学線に対する樹脂の曝露を妨げることができるが、化学線が付加的な製作中には貯蔵ユニットの化学線的に透明な部分を透過することを許容することができる。
【００２２】
いくつかの態様において、貯蔵ユニットは着脱可能な蓋を含んでもよい。蓋は化学線に対して不透明であってもよく、貯蔵ユニットが樹脂の貯蔵のために用いられるとき貯蔵ユニットの残りに取り付けるように構成されていてもよく、貯蔵ユニットが付加的な製作装置内に設置されるとき、貯蔵ユニットから取り除かれるように構成されてもよい。蓋は多くの貯蔵ユニットが互いの上に積み重なれるように形作られてもよい。例えば、蓋は貯蔵ユニットの下側の各部分と結合するように形作られる１以上の部分を含んでもよい。蓋はまた蓋と貯蔵ユニットの残りの間の密封または他のきつい適合を提供するように構成される１以上の固定機構を含んでもよい。いくつかの場合において、かかる固定機構は蓋上の部分および貯蔵ユニットの残りの部分を含んでもよく、その二つの部分は一緒に蓋を決まった場所に保つように結合および／または固定してもよい。
【００２３】
いくつかの態様において、化学線的に透明である貯蔵ユニットの下側の１以上の部分は貯蔵ユニットの蓋の各部分と結合するように形作られてもよい。かかる形状において各部分を介して２つの貯蔵ユニットを結合することは、貯蔵ユニットの下側の化学線的に透明な部分をさもなければ透過するだろう化学線を遮断するための蓋の部分をもたらすことができる。このように、貯蔵ユニットは貯蔵ユニットのスタックが集合的に化学線的に不透明にするために積み重ねるように、または化学線に曝露される貯蔵ユニットの集積領域の数を少なくとも減らすように設計することができる。例えば、上述したように積み重ねることができ、下表面上の化学線的に透明な領域を含む貯蔵ユニットは、他の貯蔵ユニットにより覆われていない化学線的に透明な領域のみがスタックの下の貯蔵ユニットの下側にあるように積み重ねられてもよい。
【００２４】
一般に、フォトポリマー材料への化学線の入射は多様な効果を有することができる。例えば、化学線は少なくとも部分的に材料を硬化することができる（例えば、それはある程度材料を固めることができる）。あるいは、化学線は材料上に測定可能な効果を有さなくてもよい。フォトポリマーが化学線に曝露されるとき、その効果は少なくとも部分的に、化学線により提示される放射線の波長および／または１以上の波長での放射線の振幅に依存してもよい。例えば、既定のポリマーは放射線の特定の波長（単数）、または波長（複数）に反応し得るので、フォトポリマー上の化学線入射の効果は、ある場合には化学線において存在する波長のものに依存する。
【００２５】
いくつかの態様において、化学線的に不透明な材料は、材料を透過する放射線（例えば、４０５ｎｍの波長光）の少なくとも１つの波長の振幅を実質的に減衰し（例えば、５０〜１００％の振幅を減らす）、ここで少なくとも１つの波長は少なくとも１つのフォトポリマーの硬化に関連する。それは同じ化学線的に不透明な材料が、異なるフォトポリマーを硬化するために用いられることができる他の波長を実質的に減衰する（ある程度まで減らしてよい）場合であり得る。このように、いくつかの態様において、材料が特別なフォトポリマー（単数）または特別なフォトポリマー（複数）を硬化することができる少なくとも１つの波長の伝達を実質的に減らすように設定する場合（異なるフォトポリマーを硬化することができる他の波長を実質的に減らさなくてもよいが）、材料は、化学線的に不透明であると考えてもよい。いくつかの態様において、化学線的に透明な材料は材料を透過する放射線の少なくとも１つの波長の振幅（例えば、４０５ｎｍ波長光）を実質的に減衰せず（例えば、５０％未満まで振幅を減らすなど）、ここで少なくとも１つの波長は少なくとも１つのフォトポリマーの硬化に関連する。
【００２６】
いくつかの態様において、化学線的に不透明な材料は材料を透過する放射線の少なくとも１つの波長の振幅を実質的に減衰し（例えば、５０−１００％まで振幅を減らす）、ここで、少なくとも１つの波長はフォトポリマーのクラスを硬化することに関連する。特別な化学的な特性を共有するフォトポリマーは多くの場合同様の放射線に対して同様の応答（例えば、同様の振幅および／または波長）を有し、いくつかの態様において、材料がフォトポリマーの任意のクラスを硬化することができる少なくとも１つの波長の伝達を実質的に減衰するように設定する場合、材料は化学線的に不透明であると考えられてもよい。同じ波長はそのクラスのメンバーではないフォトポリマーを硬化できても、またはできなくてもよい。いくつかの態様において、化学線的に透明な材料は材料を透過する放射線の少なくとも１つの波長の振幅を実質的に減衰（例えば５０％未満までの振幅に減らすなど）せず、ここで、少なくとも１つの波長はフォトポリマーのクラスの硬化に関連する。
【００２７】
いくつかの態様において、材料による放射線の実質的な減衰は、放射線の振幅を７０〜１００％まで減らすことを含む。いくつかの態様において、材料による放射線の実質的な減衰は、放射線の振幅を９０〜１００％まで減らすことを含む。いくつかの態様において、材料による放射線の実質的な減衰は、放射線の振幅を９５〜１００％まで減らすことを含む。
【００２８】
いくつかの態様において、材料が放射の振幅を０〜５０％まで減らす場合、材料は実質的に放射線を減衰しない。いくつかの態様において、材料が放射の振幅を０〜３０％まで減らす場合、材料は実質的に放射線を減衰しない。いくつかの態様において、材料が放射の振幅を０〜１０％まで減らす場合、材料は実質的に放射線を減衰しない。
【００２９】
以下に続くのは、付加的な製作において用いられるフォトポリマーを貯蔵するシステムおよび方法に関する多様な概要のより詳細な記載またはそれらの態様である。本明細書において記載される多様な態様は、任意の多くの方法において実行され得ることを理解するべきである。特別な実施の例は本明細書において実例となる目的だけのために提供される。さらに、以下の態様において記載される多様な側面は１つだけで、または任意の組み合わせにおいて用いられてもよく、本明細書において明確に記載されている組み合わせに限定されない。
【００３０】
本明細書において考慮される１つの実例となる付加的な製造技術は、本願の出願人である、Ｆｏｒｍｌａｂｓ，Ｉｎｃ．により販売されているＦｏｒｍ１  ３Ｄプリンターにより用いられるようなステレオリソグラフィーである。Ｆｏｒｍ１システムは２０１４年４月４日に出願され“Additive Fabrication Support Structures”と題されたＵＳ特許出願14/245,765、２０１３年３月２２日に出願され“3D Printer with Self-Leveling Platform” と題されたＵＳ特許出願13/848,979、２０１３年４月５日に出願され“Three-Dimensional Printing with Customizable Support Structures”と題されたＵＳ特許出願61/808,714の１つ以上において十分に記載されており、その開示は本明細書中でそれらの全体において参照により援用される。本明細書において記載された態様は初めにＦｏｒｍ１およびステレオリソグラフィーに関して開示されるが、本発明はまた、限定されないが液体樹脂を含む化学線に感受性のある材料を用いる対象物を形成する付加的な製作技術を含む、他のシステムに適用されてもよいと理解してもよい。
【００３１】
図１は、いくつかの態様による、実例となるステレオリソグラフィーシステムを表す。システム１００は、システムを稼働する多様な機械的、光学的、電気的、電子的構成要素を含有するベースハウジング１０５を含む。アッパーハウジング１０３は、液体樹脂の固化のためのシステム内で用いられる化学線周波数に対して実質的に不透明である。アッパーハウジング１０３は、化学線からの不要な曝露から、ビルドプラットフォーム１０４およびインサート樹脂容器１０６を保護する。アッパーハウジングは他の放射線周波数に対して透明であっても、または透明でなくてもよい。
【００３２】
付加的な製作の間、樹脂容器１０６は、フォトポリマー樹脂で満たされてもよい。図２は、部分２１２の製作の間、システム１００などの付加的な製作の断面図を表す。図２の例において、下方に面するビルドプラットフォーム２０４は、フォトポリマー樹脂２１０で満たされる樹脂容器２０６の底に直接的に置く。製作された２１２の部分を、ビルドプラットフォーム２０４に取り付ける最初の層に層的に形成する。
【００３３】
樹脂容器の底の領域２０７は化学線に対して透明であり、それは底２１４上に置いた液体フォト硬化樹脂の薄層の部分が透明な部分を通して放射線により標的とされることを許容する。化学線への曝露は、それが隣接する２つの表面（容器２０６の基板および先に形成された部分２１２の層）の間を固める原因となる液体樹脂の薄層を硬化する。
【００３４】
硬化した樹脂層の上側は、ビルドプラットフォーム２０４の底表面にまたは先に硬化した樹脂層と、ならびに容器２１４の透明な底に典型的に接着する。容器の透明な底で硬化した樹脂の接着は望ましくなく、典型的にさらなる層が形成され得るように壊れる。図１に表されるＦｏｒｍｌａｂｓ  Ｉｎｃ．により供給されるＦｏｒｍ１  ３Ｄプリンターなど、実例となる実施において、分離力は、樹脂容器２０６の底が機械的に分離され、または容器の片側の固定された軸２０８について容器２０６を回転することにより部分２１２から「剥ぎ取られる」とき適用される。この剥ぎ取る段階は樹脂容器２０６を部分２１２から離れるように動かし、続いて樹脂容器２０６を部分２１２へ後退するように動くことを含む。この動きに続いて、液体樹脂の新しい層が、形成されている部分への曝露および付加のために利用可能である。前述した硬化する工程および剥ぎ取る工程の各段階はその部分が完全に創作されるまで続いてよい。
【００３５】
図１に表される樹脂容器１０６および図２に表される樹脂容器２０６と異なるいくつかの樹脂容器は、単一の化学線的に透明な材料から作られてもよい。この材料は液体樹脂を硬化し始めるように化学線が樹脂容器のより低い部分を透過することを許容するように（例えば、実質的な減衰なしに）選択されてもよい。しかしながら、かかるデザインは、環境または他の原因からの望まない化学線の樹脂容器への透過を許容し、潜在的に樹脂を放射線に曝露させることを許容する。したがって、かかる容器を用いるとき樹脂の貯蔵中、樹脂は典型的に化学線的に不透明な容器に移送される。しかしながら、上で議論したように、これは表面に接着する樹脂を硬化するなどのさらなる問題につながる。
【００３６】
図３に表された実例の貯蔵ユニットは付加的な製作中および貯蔵中に用いられてもよい単一の貯蔵ユニットを提供することによりこれらの問題に対処する。図３の例において、貯蔵ユニット３００は表面３５０上に位置し、それはテーブル、棚または一般に貯蔵のために用いられる他の適当な表面であってもよく、それは化学線的に不透明である。貯蔵ユニットは着脱可能な蓋および化学線的に透明な３０７である領域を含む。残りの貯蔵ユニット（領域３０７以外）は化学線的に不透明である。貯蔵ユニットは液体樹脂３１０を含む。
【００３７】
図３の例において、表面３５０上の貯蔵ユニット３００を配置することにより、樹脂３１０は化学線的に不透明な材料により囲まれる。貯蔵ユニットの化学線的に透明な領域３０７がある一方、貯蔵ユニットの外側由来の化学線は化学線的に不透明である、表面３５０上に配置されている貯蔵ユニットにより樹脂に到達することから実質的に遮断される。複合の貯蔵ユニット３００は、貯蔵ユニットの集積が化学線的に不透明であるように互いの上に配置されてもよい（貯蔵ユニットの化学線的に透明な領域は、残っている貯蔵ユニットの化学線的に不透明な蓋に隣接しているので）。
【００３８】
図４は、いくつかの態様により、フォトポリマー樹脂を各々貯蔵する積み重なった貯蔵ユニットを表す。図４の例に示される貯蔵ユニット４２１、４２２および４２３は各々それらの蓋において突起部（蓋４２１ａが一例である）および化学線的に透明であるそれらの底面における凹部分（部分４２１ｂが一例である）を含む。凹部分は蓋が一緒に積み重なるように突起部と結合することができる。各化学線的に透明な領域は（貯蔵ユニット４２１および４２２の領域の場合において）化学線的に不透明な蓋と隣接しており（貯蔵ユニット４２３の領域の場合において）表面４５０と隣接しているので、貯蔵ユニット４２１、４２２および４２３の集積は全体的に化学線的に不透明である。
【００３９】
したがって、本発明の１つの有利な点は、態様が操作および部分の形成中ステレオリソグラフィー装置内の樹脂容器として効率的に用いられるだけでなく、ステレオリソグラフィー装置の外側にあり続けるときにもフォトポリマー樹脂のための貯蔵ユニットとして効率的に用いられることができるということである。上述したように、貯蔵ユニットの化学線的に不透明な部分は、さもなければ容器の側面または他の領域を通して入り得る、望まない環境の化学線から樹脂容器の中身を遮蔽し得る。容器の下が化学線的に透明なままである一方、発明者は樹脂容器が典型的には平らな表面上、例えばテーブルまたは机の上など、で貯蔵されるということに注目した。このことからわかるように、かかる表面は、典型的に、関連した周波数の化学線に対してそれ自身不透明である。結果として、いずれの化学線も化学線的に透明な窓を通して樹脂容器に入ることができない（またはとるに足らない量の化学線は入ることができる）。そのため、貯蔵容器として用いられるとき、好ましい発明の態様による樹脂容器は、化学線的に不透明な材料から作られる蓋を用いてなど、樹脂容器の開いている上を覆うことにより環境的な化学線から実質的に分離されることができる。
【００４０】
図５Ａ〜５Ｃは、いくつかの態様によりフォトポリマー樹脂を貯蔵するための実例となる容器を表す。図５Ａ〜５Ｃの例において、容器５００の化学線的に透明な窓５１６は、化学線の伝達を許容する。窓はフレーム５２０を透過することから実質的量の化学線を遮断する化学線的に不透明な容器フレーム５２０内に配置される。化学線的に透明な窓５１６のおかげで、樹脂容器内のフォトポリマー樹脂は樹脂容器の下層で意図的に化学線に曝露されてもよい。例えば、容器５００は図１において示される容器１０６のように用いられてもよく、および／または図２において示される容器２０６のように用いられてもよく、ここで化学線は窓５１６を通して容器内に配置される樹脂に向けられる。
【００４１】
図５Ａ〜５Ｃの例において、凹領域５２６は樹脂容器フレーム５１８内に統合されそれにより樹脂容器からの樹脂の容易な除去のために許容できる注ぎ口を形成する。例えば、注ぎ口５２６は、かかる注ぎ口なしで生じるよりも容器５００からの同等の注入と比較して漏出を減少させることができる。さらに、凹点５２４および停止機構５２２が、ステレオリソグラフィー装置内の容器５００の調整を補助するために樹脂容器内に形成されてもよい。
【００４２】
化学線的に透明な窓５１６は、テーブルまたは棚などの平らな表面上の樹脂容器を配置することにより潜在的に起因する窓への擦傷または汚染などの損傷を避けるために樹脂容器フレーム５２０の最下点上の高さに配置されてもよい。発明者は、樹脂容器の最下水準上の化学線的に透明な窓の小さい消失（例えば、０．１ｍｍ〜１．０ｍｍの間の消失）でさえかかる損傷または汚染の危険を実質的に減らすことができるということを見出した。化学線的に透明な窓のかかる小さい消失はまた、樹脂容器フレーム５２０が貯蔵のための化学線的に不透明な表面上に配置されるとき、化学線が化学線的に透明な窓を通過して入ることを遮断することを確かめるために補助してもよい。さらに、化学線的に不透明である樹脂フレームおよび化学線的に透明である窓の差色は当該窓領域を破片または汚染、例えば指紋から保護しておくようにユーザーを補助するように有利に窓領域の境界を定めてもよい。かかる差色は樹脂容器フレームを化学線的に不透明にするように用いられる同じ技術および処理により有利に提供されることができる。
【００４３】
図６Ａ〜６Ｃは、いくつかの態様による、実例による貯蔵ユニットの蓋を表す。蓋６００は、図５Ａ〜５Ｃに示される容器５００などの任意の適切な貯蔵容器に着脱可能に取り付けられてもよい。図４の例と同様に、蓋６００上の頂部凹部６２８は、樹脂容器において蓋とすぐその上の（示されていない）化学線的に透明な窓の間の排除を提供する。蓋の突起部６３４は蓋のすぐ上の樹脂容器が静止することができる、固定表面を提供することができる。頂部凹部６２８は、使用しないとき、さらにビルドプラットフォームが配置されることができる凹部を有利にもたらすことができる。図面６Ａ〜６Ｃの例において、タブ６３２は蓋および樹脂容器（例えば、容器５００）の間のかみ合いを改善するために容器の側面を折り返すことができる。例えば、蓋６００と容器５００などの容器の間の化学線的に不透明なシールを提供するために、タブは閉められるかまたはさもなければ位置にロックすることができる。
【００４４】
上に記載したように貯蔵容器および／または貯蔵ユニットは任意の適当な方法において形成されてもよい。いくつかの態様において、化学線的に透明な窓および化学線的に不透明なフレームを含む貯蔵容器は、所望の光学的性質を有する材料から２種以上の材料を組み合わせることにより形成されることができる。ある実施において、ポリ−メチルメタクリラートなどの材料（一般的に「プレキシガラス」または「ＡＣＲＹＬＩＴＥ」として商業的に知られている）、または他のアクリルが用いられてもよい。ある処方において、三菱麗陽高分子材料（南通）有限公司からのＡＣＲＹＰＥＴ  ＶＨ−０６７Ａとして市販されているような、ポリ−メチルメタクリラート材料は化学線に対して実質的に透明になるように製造され得る。
【００４５】
いくつかの態様により、貯蔵容器は、容器フレームが化学線的に不透明になるように、被覆された容器の領域を伴う化学線に対して透明である単一の材料からなってもよい。ユーザーが残っているフォトポリマー樹脂の量ならびに運転中の樹脂容器内の部分形成の状態を含むフォトポリマー樹脂の状態を観察できるように、樹脂容器の化学線的に不透明なフレームが可視光線のある部分に対して少なくとも部分的に透明なままであるということが有利になり得る。
【００４６】
図７は、いくつかの態様による付加的な製作において用いられるフォトポリマー樹脂を貯蔵する方法を表す。方法７００は、一部が付加的な製作を介して製造されるアクト７０１で始まる。アクト７０１は部分を製造するために任意の適切な付加的な製作装置の使用を含んでもよく、任意の１以上の付加的な製作技術を使用してもよい。いくつかの態様により、部分はステレオリソグラフィーを介してアクト７０１において製造される。
【００４７】
付加的な製作技術が用いられているにもかかわらず、方法７００における付加的な製作装置は構成要素として、アクト７０１の付加的な製作工程において用いられる材料を貯蔵する容器を含む。アクト７０２において、容器は、アクト７０１において用いられる付加的な製作装置から取り除かれ、アクト７０３において、蓋が容器に取り付けられる（着脱可能に取り付けられる）。方法７００において、容器は化学線的に不透明な領域に加えて化学線的に透明な領域を含んでもよい。例えば、方法７００の容器は図３において示される容器３００、図４に示される容器４２１、４２２および／または４２３ならびに／あるいは図５Ａ〜５Ｃに示される容器５００を含んでもよい。蓋は化学線的に不透明であってよい。例えば、方法７００の蓋は図３に示される蓋３０４、図４に示される蓋４２１ａ、および／または図６Ａ〜６Ｃに示される蓋６００を含んでもよい。
【００４８】
したがって、本発明の少なくとも１つの態様の複数の側面を記載しているので、当業者は多様な変形、修飾、および改善を容易に行うことができるということが理解される。かかる変形、修飾、および改善は本開示の一部になることを意味し、本発明の精神および範囲内であることを意図する。さらに、本発明の有利な点は示されているが、本明細書に記載されている技術のあらゆる態様があらゆる記載された有利な点を含むわけではないだろうことを理解するべきである。いくつかの態様は、本明細書における有利な点として記載されている任意の特徴を実行しなくてもよく、いくつかの例において１つ以上の記載された特徴がさらなる態様を達成するために実行されてもよい。したがって、先の記載および図は例に過ぎない方法によるものである。
【００４９】
本発明の多様な側面はそれだけで、組み合わせで、または先に記載されている態様において特別に議論されていない多様な配置において用いられてもよく、そのためその適用において詳細に限定されず先に記載または図面に例示した構成要素の配置に限定されない。例えば、ある態様において記載された側面は他の態様において記載された側面と任意の方法で組み合わされてもよい。
【００５０】
また、本発明は例が提供された方法として具体化されてもよい。方法の一部として達成される行為は、任意の適切な方法において順序づけられてもよい。したがって、態様は、実例となる態様における連続した行為として示された場合でさえ、いくつかの行為を同時に達成することを含んでもよく、例示されたのと違う順序で達成されてもよく、構成されてもよい。
【００５１】
さらに、いくつかの行動は「ユーザー」によって採用されるように記載される。「ユーザー」は単独個人である必要はなく、いくつかの態様において、「ユーザー」に起因する行動は個人および／またはコンピュータ支援ツールもしくは他の機械との組み合わせにおけるチームにより達成されてもよい。
【００５２】
請求項の要素を修飾する請求項における「第１の」、「第２の」、「第３の」などの順序の用語の使用は、それにより任意の重要度、先行、または別のものを超えた１つの請求項の要素の順番または方法の行為が達成された時間的順序を含むのではなく、ある名前を有する１つの請求項の要素と同じ名前を有する別の要素とを区別するために単にラベルとして使用され、（しかし順序の用語の使用のために）請求項の要素を区別する。
【００５３】
また、本明細書において用いられる言い回しおよび用語は、記載の目的のためであり限定と解釈するべきではない。本明細書における「含む（including）」、「含む（comprising）」または「有する（having）」、「含む（containing）」、「含む（involving）」およびそれらの変化形の使用は、その後に列挙される事項およびそれらと同等のもの、ならびに付加的な事項を含むことを意味する。
【図１】
0006637037.tif 000002
【図２】
0006637037.tif 000003
【図３】
0006637037.tif 000004
【図４】
0006637037.tif 000005
【図５Ａ】
0006637037.tif 000006
【図５Ｂ】
0006637037.tif 000007
【図５Ｃ】
0006637037.tif 000008
【図６Ａ】
0006637037.tif 000009
【図６Ｂ】
0006637037.tif 000010
【図６Ｃ】
0006637037.tif 000011
【図７】
0006637037.tif 000012